(57)【要約】【課題】コンサート会場のような広いスペースにあっても、統一感のある光による演出を可能とする、ライトを用いた発光制御システムを提供する。【解決手段】本発明は、ライトと、サーバーとを、ネットワークを介して接続してなる発光制御システムであって、サーバーは、ライトを識別する識別情報と、位置情報とを関連付けて記憶部に記憶する記憶手段と、当該記憶手段によって記憶された記憶情報に基づいて発光制御情報を送信する送信手段とを備え、且つ、ライトは、サーバーの送信手段から送信された発光制御情報を受信する受信手段と、当該受信手段によって受信した発光制御情報に基づき、サーバーの指示情報に応じて発光する発光手段とを備える。【選択図】図１
2020155414.tif 000002
【特許請求の範囲】
【請求項１】
ライトと、サーバーとを、ネットワークを介して接続してなる発光制御システムであって、
前記サーバーは、
前記ライトを識別する識別情報と、位置情報とを関連付けて記憶部に記憶する記憶手段と、当該記憶手段によって記憶された記憶情報に基づいて発光制御情報を送信する送信手段とを備え、
且つ、
前記ライトは、
前記サーバーの送信手段から送信された発光制御情報を受信する受信手段と、当該受信手段によって受信した発光制御情報に基づき、前記サーバーの指示情報に応じて発光する発光手段とを備えることを特徴とする発光制御システム。
【請求項２】
前記発光制御システムは、さらに、
前記ライトを識別する識別情報と、位置情報を、それぞれ読取装置によって読み取る読取手段を備え、当該読取手段によって読み取られた、ライトを識別する識別情報と、位置情報とを関連付けて記憶部に記憶することを特徴とする請求項１に記載の発光制御システム。
【請求項３】
前記ライトを識別する識別情報と、位置情報とが、それぞれバーコード情報化されてなることを特徴とする請求項１または２に記載の発光制御システム。
【請求項４】
前記サーバーは、さらに、
前記ライトを識別する識別情報と、位置情報とを関連付けて記憶部に記憶させた記憶情報に基づき、特定の色に関する情報および／または特定の形状に関する情報を、前記位置情報に対応付けて所定のグループ単位に統合するグルーピング手段とを備え、当該グルーピング手段によって統合したグループ単位に応じて、前記送信手段によって発光制御情報を送信することを特徴とする請求項１から３のいずれか一項に記載の発光制御システム。
【請求項５】
前記位置情報が、チケットに付加された座席情報であることを特徴とする請求項１から４のいずれか一項に記載の発光制御システム。
【請求項６】
ライトと、サーバーとを、ネットワークを介して接続してなる発光制御方法であって、
前記サーバーは、
前記ライトを識別する識別情報と、位置情報とを関連付けて記憶部に記憶する記憶ステップと、当該記憶ステップによって記憶された記憶情報に基づいて発光制御情報が送信される送信ステップとを備え、
且つ、
前記ライトは、
前記サーバーの送信手段から送信された発光制御情報を受信する受信ステップと、当該受信手段によって受信した発光制御情報に基づき、前記サーバーの指示情報に応じて発光する発光ステップとを含む、発光制御システムが実行する発光制御方法。
【請求項７】
複数のライトと、前記複数のライトを被写体に含む映像を撮影する撮影装置と、前記複数のライトそれぞれとネットワークを介して接続するサーバーとを備える発光制御システムであって、
前記サーバーは、
前記複数のライトそれぞれを一意に識別する識別情報と、前記複数のライトそれぞれのユーザを一意に識別するユーザＩＤとを関連付けて記憶部に記憶する記憶手段と、
前記複数のライトを発光させるための発光制御情報を送信する送信手段とを備え、
前記撮影装置は、前記送信手段が前記複数のライトのうち特定のライトに前記発光制御情報を送信することを契機として映像を撮影し、
前記サーバーはさらに、
前記撮影装置が撮影した映像を解析して映像中における発光中のライトの位置を特定する発光位置特定手段と、
前記発光位置特定手段が特定したライトの位置をもとに、当該ライトを所有するユーザの位置情報を特定するユーザ位置特定手段とを備える発光制御システム。
【請求項８】
前記グルーピング手段は、
前記識別情報と前記位置情報に対応付けて所定のグループ単位に統合したグループを、異なるグループ単位で統合する、ことを特徴とする請求項４に記載の発光制御システム。
【発明の詳細な説明】
【技術分野】
【０００１】
本発明は、ライトと、サーバーとを、ネットワークを介して接続してなる発光制御システムおよび発光制御方法に関するものである。
【背景技術】
【０００２】
イベント・祝祭行事などにおいて、ペンライトや、照明など光を用いて演出効果を高めるものや、光によって興味を引き立てるライトが多く流通している。
【０００３】
とりわけ、棒状ライトは、コンサート等の夜間に行われるイベントにおいては、点灯した状態で振りかざし、会場を盛り上げるために多く用いられている。
【０００４】
そのため、棒状ライトは、手で振りかざせる程度の小型軽量であり、かつ、十分な照度及びそれを維持できるだけの電力を備える必要がある。
【０００５】
近年の棒状ライトに関する技術が特許文献１及び特許文献２に開示されている。
【０００６】
特許文献１には、片手で複数本保持した場合でも、手を振りかざした際に手から抜け落ちず、しっかりと保持可能な、安全な棒状ライトに関する技術が開示されている。
【０００７】
特許文献２には、多様な色変化を可能とする発光制御を行うものであって、ユーザの誤操作を抑止可能な棒状ライトに関する技術が開示されている。
【先行技術文献】
【特許文献】
【０００８】
【特許文献１】特開２０１４−０３２９５９
【特許文献２】特開２０１４−１９９７７２
【発明の概要】
【発明が解決しようとする課題】
【０００９】
しかしながら、特許文献１及び２に記載の棒状ライトは、当該棒状ライトの所持者の指示に基づいて点灯する構造を有してはいるが、コンサート会場のような広いスペースにおいて、統一感のある光による演出をするためには、ライトに関する新たな技術の創出が求められていた。
【００１０】
そこで、本発明は、上記事情に鑑み、コンサート会場のような広いスペースにあっても、統一感のある光による演出を可能とする、ライトを用いた発光制御システムを提供することを目的とするものである。
【課題を解決するための手段】
【００１１】
上記課題を解決するために、本発明の一態様に係る発光制御システムは、ライトと、サーバーとを、ネットワークを介して接続してなる発光制御システムであって、サーバーは、ライトを識別する識別情報と、位置情報とを関連付けて記憶部に記憶する記憶手段と、当該記憶手段によって記憶された記憶情報に基づいて発光制御情報を送信する送信手段とを備え、且つ、ライトは、サーバーの送信手段から送信された発光制御情報を受信する受信手段と、当該受信手段によって受信した発光制御情報に基づき、サーバーの指示情報に応じて発光する発光手段とを備える。
【００１２】
また、本発明の一態様に係る発光制御システムは、さらに、ライトを識別する識別情報と、位置情報を、それぞれ読取装置によって読み取る読取手段を備え、当該読取手段によって読み取られた、ライトを識別する識別情報と、位置情報とを関連付けて記憶部に記憶することもできる。
【００１３】
また、本発明の一態様に係る発光制御システムにおいて、ライトを識別する識別情報と、位置情報とが、それぞれバーコード情報化されてなることが好ましい。
【００１４】
また、本発明の一態様に係る発光制御システムにおいて、サーバーは、さらに、ライトを識別する識別情報と、位置情報とを関連付けて記憶部に記憶させた記憶情報に基づき、特定の色に関する情報および／または特定の形状に関する情報を、上記位置情報に対応付けて所定のグループ単位に統合するグルーピング手段とを備え、当該グルーピング手段によって統合したグループ単位に応じて、送信手段によって発光制御情報を送信することができる。
【００１５】
また、本発明の一態様に係る発光制御システムにおいて、位置情報が、チケットに付加された座席情報であることが好ましい。
【００１６】
上記課題を解決するために、本発明の一態様に係る発光制御システムが実行する発光制御方法は、ライトと、サーバーとを、ネットワークを介して接続してなる発光制御方法であって、サーバーは、ライトを識別する識別情報と、位置情報とを関連付けて記憶部に記憶する記憶ステップと、当該記憶ステップによって記憶された記憶情報に基づいて発光制御情報が送信される送信ステップとを備え、且つ、ライトは、サーバーの送信手段から送信された発光制御情報を受信する受信ステップと、当該受信手段によって受信した発光制御情報に基づき、サーバーの指示情報に応じて発光する発光ステップとを含む。
【００１７】
本発明のさらに別の態様は、複数のライトと、複数のライトを被写体に含む映像を撮影する撮影装置と、前記複数のライトとネットワークを介して接続するサーバーとを備える発光制御システムである。この発光制御システムにおいて、サーバーは、複数のライトそれぞれを一意に識別する識別情報と、複数のライトそれぞれのユーザを一意に識別するユーザＩＤとを関連付けて記憶部に記憶する記憶手段と、複数のライトを発光させるための発光制御情報を送信する送信手段とを備える。撮影装置は、送信手段が複数のライトのうち特定のライトに発光制御情報を送信することを契機として映像を撮影する。またサーバーはさらに、撮影装置が撮影した映像を解析して映像中における発光中のライトの位置を特定する発光位置特定手段と、発光特定手段が特定したライトの位置をもとに、当該ライトを所有するユーザの位置情報を特定するユーザ位置特定手段とを備える。
【発明の効果】
【００１８】
本発明の一態様に係るライトと、サーバーとを、ネットワークを介して接続してなる発光制御システムは、サーバーが、ライトを識別する識別情報と、位置情報とを関連付けて記憶部に記憶し、当該記憶された記憶情報に基づいて発光制御情報を送信する手段とを備え、且つ、ライトが、サーバーの送信手段から送信された発光制御情報を受信し、当該受信手段によって受信した発光制御情報に基づき、サーバーの指示情報に応じて発光する手段とを備えることにより、コンサート会場のような広いスペースにあっても、統一感のある光による演出を可能とするという効果を奏する。
【図面の簡単な説明】
【００１９】
【図１】発光制御システム３００を構成する、サーバー１００と棒状ライト２００の要部構成の一例を示すブロック図である。
【図２】発光制御システム３００を構成する、グルーピング部１２を含むサーバー１００および棒状ライト２００の要部構成の一例を示すブロック図である。
【図３】棒状ライトを識別する識別情報と、チケットに付加された座席情報を、それぞれ読取装置によって読み取り可能である状態を示す概念図である。
【図４】棒状ライトを識別する識別情報と、チケットに付加された座席情報とを関連付けて記憶された、当該棒状ライトとチケットを所持する各々のユーザのステータス情報を示すデータ概念図である。
【図５】本発明におけるグルーピング手段を用いて、特定の色に関する情報および／または特定の形状に関する情報を、座席情報に対応付けて所定のグループ単位に統合させた状態を示す概念図である。
【図６】サーバー１００と棒状ライト２００から構成される、発光制御システム３００が実行する処理の一例を示すフローチャートである。
【図７】グルーピング部１２を含むサーバー１００と棒状ライト２００から構成される、発光制御システム３００が実行する処理の一例を示すフローチャートである。
【図８】実施の形態の変形例に係る発光制御システムの構成を模式的に示す図である。
【図９】実施の形態の変形例に係るサーバーの機能構成を模式的に示す図である。
【図１０】実施の形態の変形例に係るグループ変更例を模式的に示す図である。
【図１１】実施の形態の変形例に係るグループ変更の場合の点灯フォーメーション制御の例を示す説明図である。
【図１２】実施の形態の変形例に係る２次元グループ化の一例を示す説明図である。
【図１３】実施の形態の変形例に係る２次元グループ制御の場合の点灯フォーメーション制御の例を示す説明図である。
【発明を実施するための形態】
【００２０】
図１〜図７に基づいて、本発明の実施の形態を説明する。
【００２１】
（サーバーとライトからなる発光制御システムの概要）
本発明によって提供される発光制御システムは、サーバーとライトとから構成される。
【００２２】
サーバーは、ライトを識別する識別情報と、位置情報とを関連付けて記憶部に記憶する記憶手段と、当該記憶手段によって記憶された記憶情報に基づいて発光制御情報を送信する送信手段を備えている。
【００２３】
また、ライトは、サーバーの送信手段から送信された発光制御情報を受信する受信手段と、当該受信手段によって受信した発光制御情報に基づき、サーバーの指示情報に応じて発光する発光手段とを備えている。
【００２４】
本発明における発光制御システムは、発光制御情報を送受信させることによって、実現される発光制御システムである。
【００２５】
（発光制御システム３００の構成）
本発明においてライトは、図１、２に示されるように、発光制御情報５ｃを受信する受信部１４と、サーバーの指示情報５ｄに応じて発光する発光部１５とを備えたライトであれば、特に限定されるものではなく、例えば、棒状型のライト、およびリストバンド型のライト等が挙げられる。
【００２６】
以下において、本発明におけるライトの代表例として棒状型のライト（棒状ライト）を適宜取りあげて説明する。
【００２７】
図１は、発光制御システム３００を構成する、サーバー１００および棒状ライト２００の要部構成の一例を示すブロック図である。
【００２８】
図１に例示されるように、発光制御システム３００は、サーバー１００および棒状ライト２００から構成され、上記サーバー１００は、記憶部１１、および送信部１３を備えている。また、上記棒状ライト２００は、受信部１４、および発光部１５を備えている。
【００２９】
記憶部（記憶手段）１１は、ライト（例えば、棒状ライト）を識別する識別情報と、位置情報（例えば、チケットに付加された座席情報）とを関連付けて記憶する。
【００３０】
送信部（送信手段）１３は、記憶部（記憶手段）１１によって記憶された記憶情報５ａに基づいて発光制御情報５ｃを送信する。
【００３１】
なお、記憶部１１から出力された記憶情報５ａは、送信部１３に入力される。当該送信部１３から出力された発光制御情報５ｃは受信部１４に入力される。
【００３２】
受信部（受信手段）１４は、サーバー１００の送信部（送信手段）１３から送信された発光制御情報５ｃを受信する。
【００３３】
発光部（発光手段）１５は、受信部（受信手段）１４によって受信した発光制御情報５ｃに基づき、サーバーの指示情報５ｄに応じて発光する。
【００３４】
なお、受信部１４から出力されたサーバーの指示情報５ｄは、発光部１５に入力される。
【００３５】
図２は、発光制御システム３００を構成する、グルーピング部１２を含むサーバー１００および棒状ライト２００の要部構成の一例を示すブロック図である。
【００３６】
図２に例示されるように、発光制御システム３００は、グルーピング部１２を含むサーバー１００および棒状ライト２００から構成され、上記サーバー１００は、記憶部１１、グルーピング部１２、および送信部１３を備えている。また、上記棒状ライト２００は、受信部１４、および発光部１５を備えている。
【００３７】
記憶部（記憶手段）１１は、ライト（例えば、棒状ライト）を識別する識別情報と、位置情報（例えば、チケットに付加された座席情報）とを関連付けて記憶する。
【００３８】
グルーピング部（グルーピング手段）１２は、棒状ライトを識別する識別情報と、位置情報（例えば、チケットに付加された座席情報）とを関連付けて記憶させた記憶情報５ａに基づき、特定の色に関する情報および／または特定の形状に関する情報を、位置情報（例えば、チケットに付加された座席情報）に対応付けて所定のグループ単位に統合することができる。
【００３９】
送信部（送信手段）１３は、グルーピング部（グルーピング手段）１２によって統合したグループ単位に応じて、発光制御情報５ｃを送信することができる。
【００４０】
本発明においては、グルーピングせずとも、上記特定の色に関する情報および／または特定の形状に関する情報を、位置情報（例えば、チケットに付加された座席情報）に対応付けて個々に、発光制御情報５ｃを送信することもできる。
【００４１】
なお、記憶部１１から出力された記憶情報５ａは、グルーピング部１２に入力される。当該グルーピング部１２から出力されたグルーピング情報５ｂは送信部１３に入力される。
【００４２】
受信部（受信手段）１４は、サーバー１００の送信部（送信手段）１３から送信された発光制御情報５ｃを受信する。
【００４３】
発光部（発光手段）１５は、受信部（受信手段）１４によって受信した発光制御情報５ｃに基づき、サーバーの指示情報５ｄに応じて発光する。
【００４４】
なお、受信部１４から出力されたサーバーの指示情報５ｄは、発光部１５に入力される。
【００４５】
（サーバーとライトから構成される発光制御システムの詳細）
本発明において提供される発光制御システムは、ライトと、サーバーとを、ネットワークを介して接続して構成される。
【００４６】
サーバーは、ライトを識別する識別情報と、位置情報（例えば、チケットに付加された座席情報）とを関連付けて記憶部に記憶する記憶手段と、当該記憶手段によって記憶された記憶情報に基づいて発光制御情報を送信する送信手段とを備える。
【００４７】
また、ライトは、サーバーの送信手段から送信された発光制御情報を受信する受信手段と、当該受信手段によって受信した発光制御情報に基づき、サーバーの指示情報に応じて発光する発光手段とを備える。
【００４８】
本発明においてライトは、図１、２に示されるように、発光制御情報５ｃを受信する受信部１４と、サーバーの指示情報５ｄに応じて発光する発光部１５とを備えたライトであれば、特に限定されるものではなく、例えば、棒状型のライト（棒状ライト）、およびリストバンド型のライト等が挙げられる。
【００４９】
本発明において、ライト（棒状ライト）を識別する識別情報とは、各々のライト（棒状ライト）を識別可能な情報のことをいい、例えば、製品名、シリアル番号、製造番号、および機種番号などが挙げられる。
【００５０】
本発明において、位置情報としては、例えば、チケットに付加された座席情報が挙げられる。
【００５１】
チケットに付加された座席情報とは、座席の位置を示す情報のことをいい、例えば、座席の列名、および座席番号などが挙げられる。
【００５２】
本発明における発光制御システムは、さらに、ライトを識別する識別情報と、位置情報（例えば、チケットに付加された座席情報）を、それぞれ読取装置によって読み取る読取手段を備えることができる。
【００５３】
また、上記読取手段によって読み取られた、ライトを識別する識別情報と、位置情報（例えば、チケットに付加された座席情報）とを関連付けて、サーバーの記憶部に記憶させることができる。
【００５４】
本発明において、ライトを識別する識別情報と、位置情報（例えば、チケットに付加された座席情報）は、それぞれバーコード情報化されてなることが好ましい。
【００５５】
ここで「バーコード情報」とは、数字、文字、および記号などの情報を一定の規則に従い、コードに変換した情報のことをいう。
【００５６】
本発明においてバーコード情報化されてなる形態としては、特に限定されないが、例えば、一次元バーコード、および二次元バーコードが挙げられる。
【００５７】
一次元バーコードは、水平方向にのみ情報を持つ表示方式のコードのことをいう。図３に示されるライトおよびチケットには、それぞれ一次元バーコードが付されている。
【００５８】
一方、二次元バーコードは、水平方向と垂直方向に情報を持つ表示方式のコードのことをいい、一次元バーコードに比べ、より多くの情報をコード化でき、また印字面積を小さくすることができる。
【００５９】
なお、二次元バーコードの種類としては、小さな正方形を上下左右に配列させたマトリックス式二次元コード（マトリックスコード）、および一次元バーコードを上下に複数重ねたスタック式二次元コード（スタックコード）が挙げられる。
【００６０】
さらに、上記マトリックス式二次元コード（マトリックスコード）の種類として、ＱＲコード（登録商標）が挙げられる。
【００６１】
図３は、ライトを識別する識別情報と、位置情報（例えば、チケットに付加された座席情報）を、それぞれ読取装置によって読み取り可能である状態を示す概念図である。
【００６２】
図３に示されるように、ユーザが「棒状ライト」と「チケット」を所持し、当該「棒状ライト」と「チケット」には、それぞれ一次元バーコードが付されている。
【００６３】
ユーザが所持する、「棒状ライト」と「チケット」にそれぞれ付された一次元バーコードを、バーコードリーダー（読取装置）にかざすことによって、「棒状ライト」を識別する識別情報と、「チケット」に付加された座席情報を、それぞれ読み取ることができる。
【００６４】
上記バーコードリーダー（読取装置）によって読み取られた、「棒状ライト」を識別する識別情報と、「チケット」に付加された座席情報とを関連付けて記憶させる形態としては、サーバーの記憶部に直接記憶させることができる他に、ＵＳＢメモリ、およびパソコン本体などの記憶媒体に一旦記憶させ、追ってサーバーの記憶部に記憶させることもできる。
【００６５】
図４は、棒状ライトを識別する識別情報と、チケットに付加された座席情報とを関連付けて記憶された、当該棒状ライトとチケットを所持する各々のユーザのステータス情報を示すデータ概念図である。
【００６６】
ここで「ユーザのステータス情報」とは、棒状ライトとチケットを所持するユーザの状態を示す情報のことをいう。
【００６７】
例えば、図４に示されるように、ユーザのステータス情報として、「ユーザＩＤ」、当該ユーザが所持する棒状ライトの識別情報となる「製品名」および「シリアル番号」、並びに、当該ユーザが所持するチケットの座席情報となる「列名」および「座席番号」等が挙げられる。
【００６８】
具体的には、図４に示されるユーザのステータス情報として、ユーザＩＤ「００５」のユーザが所持する、棒状ライトの製品名は「ＳＰＰ−５」，シリアル番号は「１６００」であり、チケットの列名は「Ｌ」，座席番号は「０１」であることが示されている。
【００６９】
また、ユーザＩＤ「１００」のユーザが所持する、棒状ライトの製品名は「ＵＰＰ−３」，シリアル番号は「５６７３」であり、チケットの列名は「Ｋ」，座席番号は「３２」であることが示されている。
【００７０】
本発明における発光制御システムは、各々のユーザが所持するライトの識別情報、当該各々のユーザが所持する位置情報（例えば、チケットに付加された座席情報）、当該識別情報と位置情報とを関連付けて記憶部に記憶させる記憶情報、および当該記憶情報に基づいてライトの受信部に送信する発光制御情報などの情報を扱う。
【００７１】
発明における発光制御システムを、コンサート会場のような広いスペースで用いた場合、ライトを所持するユーザ（観客）の数が多くなるほど、また、光による演出の範囲が広範囲になるほど、サーバーが扱う情報が増大し、サーバーが管理する情報量が膨大となり、サーバーのデータ管理に負荷がかかることがある。
【００７２】
そこで、本発明におけるサーバーは、ライトを識別する識別情報と、位置情報（例えば、チケットに付加された座席情報）とを関連付けて記憶する記憶手段と、当該記憶手段によって記憶された記憶情報に基づいて発光制御情報を送信する送信手段の他に、グルーピング手段をさらに備えることができる。
【００７３】
本発明におけるグルーピング手段は、ライトを識別する識別情報と、位置情報（例えば、チケットに付加された座席情報）とを関連付けて記憶させた記憶情報に基づき、特定の色に関する情報および／または特定の形状に関する情報を、座席情報に対応付けて所定のグループ単位に統合させることができる。
【００７４】
すなわち、本発明においては、主催者側が演出させたい「色」、並びに、文字、記号、および絵などの「形状」に関する情報を、各々の座席情報（座席の位置情報）に対応付けて、例えば、３×３、３×６、および５×５などのグループ単位にグループ化させることができる。
【００７５】
図５は、本発明におけるグルーピング手段を用いて、特定の色に関する情報および／または特定の形状に関する情報を、座席情報に対応付けて所定のグループ単位に統合させた状態を示す概念図である。
【００７６】
図５ａは、座席の一部を示す概念図である。
【００７７】
図５ｂは、特定の色に関する情報および／または特定の形状に関する情報を、座席情報に対応付けて所定のグループ単位に統合させた、各々のグループのステータス情報を示すデータ概念図である。
【００７８】
ここで「グループのステータス情報」とは、特定の色に関する情報および／または特定の形状に関する情報を、座席情報に対応付けて所定のグループ単位に統合させた、グループの状態を示す情報のことをいう。
【００７９】
例えば、図５ｂに示されるように、グループのステータス情報として、「グループＩＤ」、当該グループを構成するユーザが所持するチケットの座席情報となる「列名」および「座席番号」、並びに、主催者側が演出させたい特定の色および／または特定の形状に関する情報等が挙げられる。
【００８０】
具体的には、図５ｂに示されるグループのステータス情報として、グループＡを構成する各々のユーザが所持するチケットの座席情報は、Ａ２，Ａ３，Ａ４，Ｂ２，Ｂ３，Ｂ４，Ｃ２，Ｃ３，Ｃ４であることが示され、グループＢを構成する各々のユーザが所持するチケットの座席情報は、Ｅ６，Ｅ７，Ｅ８，Ｆ６，Ｆ７，Ｆ８，Ｇ６，Ｇ７，Ｇ８であることが示されている。
【００８１】
本発明によれば、上記グルーピング手段によって統合した（まとめられた）グループ単位に応じて、発光制御情報を一括して、サーバーの送信手段から棒状ライトの受信手段へ送受信させ、サーバーの指示情報に応じて棒状ライトを発光させることができる。
【００８２】
これによって、本発明における発光制御システムは、コンサート会場のような広いスペースにあっても、統一感のある光による演出を可能とし、さらに、サーバーのデータ管理の負荷軽減にも寄与させることもできる。
【００８３】
本発明において、特定の色や形状に関する情報を、位置情報（例えば、チケットに付加された座席情報）に対応付けてグループ化させる単位は、特に限定されるものではなく、統一感のある演出を可能にさせ、且つ、サーバーのデータ管理の負荷軽減の観点から、任意に決定することができる。
【００８４】
（発光制御システム３００が実行する処理）
図５は、サーバー１００と棒状ライト２００から構成される、発光制御システム３００が実行する処理の一例を示すフローチャートである。
【００８５】
なお、以下の説明において、カッコ書きの「〜ステップ」は、サーバー１００および棒状ライト２００が実行する各ステップを表す。
【００８６】
記憶部１１は、ライト（例えば、棒状ライト）を識別する識別情報と、位置情報（例えば、チケットに付加された座席情報）とを関連付けて記憶情報として記憶し（ステップ１、以下「ステップ」を「Ｓ」と略記する、記憶ステップ）、送信部１３は、記憶部１１によって記憶された記憶情報に基づいて発光制御情報を送信する（Ｓ２、送信ステップ）。
【００８７】
受信部１４は、サーバーの送信手段から送信された発光制御情報を受信し（Ｓ３、受信ステップ）、発光部１５は、当該受信部１４によって受信した発光制御情報に基づき、サーバーの指示情報に応じて発光する（Ｓ４、発光ステップ）。
【００８８】
図６は、グルーピング部１２を含むサーバー１００と棒状ライト２００から構成される、発光制御システム３００が実行する処理の一例を示すフローチャートである。
【００８９】
記憶部１１は、ライト（例えば、棒状ライト）を識別する識別情報と、位置情報（例えば、チケットに付加された座席情報）とを関連付けて記憶情報として記憶し（Ｓ１、記憶ステップ）、グルーピング部１２は、当該記憶部１１によって記憶された記憶情報に基づき、特定の色に関する情報および／または特定の形状に関する情報を、位置情報（例えば、チケットに付加された座席情報）に対応付けて所定のグループ単位に統合し（Ｓ２、グルーピングステップ）、送信部１３は、当該グルーピング部１２によって統合したグループ単位に応じて、発光制御情報を送信する（Ｓ３、送信ステップ）。
【００９０】
受信部１４は、サーバーの送信部１３から送信された発光制御情報を受信し（Ｓ４、受信ステップ）、発光部１５は、当該受信部１４によって受信した発光制御情報に基づき、サーバーの指示情報に応じて発光する（Ｓ５、発光ステップ）。
【００９１】
〔付記事項〕
本発明は上述した実施の形態に限定されるものではなく、請求項に示した範囲で種々の変更が可能であり、異なる実施の形態にそれぞれ開示された技術的手段を適宜組み合わせて得られる実施の形態についても、本発明の技術的範囲に含まれる。さらに、各実施の形態にそれぞれ開示された技術的手段を組み合わせることにより、新しい技術的特徴を形成できる。以下そのような変形例を記載する。
【００９２】
上述したように、サーバー１００は、ユーザを一意に特定可能なユーザＩＤと、当該ユーザが所有する棒状ライト２００を一意に特定可能な棒状ライトの識別情報とを対応づけて管理している。また、サーバー１００は、特定の棒状ライトに発光制御情報５ｃを送信することにより、特定の棒状ライトのみを発光させることが可能となる。変形例に係る発光制御システム３０１は、サーバー１００が特定の棒状ライトに発光制御情報５ｃを送信して特定の棒状ライトを発光させた状態の映像を撮影する。この映像を解析することにより、発光させた棒状ライトを所有しているユーザの位置情報を特定する。これにより、例えばバーコードの読み取りミス等の何らかの理由によって、ユーザの位置情報が欠落している場合であっても、事後的にユーザの位置情報を取得することができる。
【００９３】
図８は、実施の形態に変形例に係る発光制御システム３０１の構成を模式的に示す図である。以下、実施の形態に係る発光制御システム３０１と重複する部分については、適宜省略または簡略化して説明する。
【００９４】
図８に示すように、変形例に係る発光制御システム３０１は、複数のユーザにそれぞれ所持される複数の棒状ライト２００と、複数の棒状ライト２００を被写体に含む映像を撮影する撮影装置４００と、複数の棒状ライト２００とネットワークを介して接続するサーバー１０１とを備える。サーバー１０１は撮影装置４００とデータ通信可能であり、撮影装置４００が撮影した映像を取得することができる。
【００９５】
図９は、実施の形態に変形例に係るサーバー１０１の機能構成を模式的に示す図である。サーバー１０１は、記憶部１１、送信部１３、発光位置特定部１６、およびユーザ位置特定部１７を備える。
【００９６】
図９は、変形例に係るサーバー１０１を実現するための機能構成を示しており、その他の構成は省略している。図９において、さまざまな処理を行う機能ブロックとして記載される各要素は、ハードウェア的には、ＣＰＵ（Central Processing Unit）、メインメモリ、その他のＬＳＩ（Large Scale Integration）で構成することができる。またソフトウェア的には、メインメモリにロードされたプログラムなどによって実現される。なお、このプログラムは、コンピュータが読み出し可能な記録媒体に格納されていてもよく、通信回線を介してネットワークからダウンロードされてもよい。したがって、これらの機能ブロックがハードウェアのみ、ソフトウェアのみ、またはそれらの組み合わせによっていろいろな形で実現できることは当業者には理解されるところであり、いずれかに限定されるものではない。
【００９７】
図９に示すサーバー１０１の各機能部をソフトウェアにより実現する場合、サーバー１０１は、各機能を実現するソフトウェアであるプログラムの命令を実行することで実現される。このプログラムを格納する記録媒体は、「一時的でない有形の媒体」、例えば、テープ、ディスク、カード、半導体メモリ、プログラマブルな論理回路などを用いることができる。また、上記検索プログラムは、当該検索プログラムを伝送可能な任意の伝送媒体（通信ネットワークや放送波等）を介して上記コンピュータに供給されてもよい。本発明は、上記検索プログラムが電子的な伝送によって具現化された、搬送波に埋め込まれたデータ信号の形態でも実現され得る。
【００９８】
なお、上記検索プログラムは、例えば、ActionScript、JavaScript（登録商標）などのスクリプト言語、C++、Objective-C、Java（登録商標）、Rubyなどのオブジェクト指向プログラミング言語、HTML5などのマークアップ言語などを用いて実装できる。
【００９９】
図４を参照して上述したように、記憶部１１は、複数の棒状ライト２００それぞれを一意に識別する識別情報と、複数の棒状ライト２００それぞれのユーザを一意に識別するユーザＩＤとを関連付けて記憶している。そこで、送信部１３は、記憶部１１を参照して、位置情報を取得するためのユーザのユーザＩＤを特定し、当該ユーザＩＤに対応づけられている棒状ライト２００の識別情報を取得する。送信部１３は、取得した識別情報をもとに、特定した棒状ライト２００には発光制御情報５ｃを送信する。ここで送信部１３は、位置情報を取得するユーザ以外のユーザが所持する棒状ライト２００には、消灯するための制御信号を送信してもよい。これにより、位置情報を取得するためのユーザが所持する棒状ライト２００のみを発光させることができる。
【０１００】
撮影装置４００は、送信部１３が複数の棒状ライト２００のうち特定のライトに発光制御情報５ｃを送信することを契機として、映像を撮影する。これにより、撮影装置４００は、位置情報を取得するためのユーザが所持する棒状ライト２００が発光している状態の映像を撮影することができる。
【０１０１】
発光位置特定部１６は、撮影装置４００が撮影した映像を解析して、その映像中における発光中のライトの位置を特定する。これは例えば閾値処理やエッジ抽出、ハフ変換等の既知の画像処理技術を用いて実現できる。ユーザ位置特定部１７は、発光位置特定部１６が特定したライトの位置をもとに、当該ライトを所有するユーザの位置情報を特定する。これは例えば撮影装置４００の位置を固定して定点撮影するようにし、あらかじめ撮影装置４００が撮影する映像における位置座標と、上述の位置情報との対応関係を求めておくことで実現できる。
【０１０２】
以上説明したように、変形例に係る発光制御システム３０１によれば、特定のユーザが所持する棒状ライト２００のみを発光させた状態の映像を解析することにより、当該ユーザの位置を特定することができる。
【０１０３】
また、上述したグループは、変更可能である。例えば、図１０に示すように、グループＡ，グループＢ，グループＣを、会場の横方向に同じグループで連続させるとともに縦方向に異なるグループで分けたとする。そして、グループＤ，グループＥ，グループＦ，グループＧを、同じ会場の縦方向に同じグループで連続させるとともに横方向に異なるグループで分けることも可能である。
【０１０４】
これにより、例えば、図１１に示すように、コンサート等において、１曲目と３曲目とはグループＡ，グループＢ，グループＣで棒状ライト２００の点灯順序を異ならせるようにサーバーで点灯制御を行い、２曲目はグループＤ，グループＥ，グループＦ，グループＧで棒状ライト２００の点灯順序を異ならせるようにサーバーで点灯制御を行うことも可能となる。なお、図１１において、色の変更は、例えば公知の７色の基本カラー色（ＰＵＲＰＬＥ・ＢＬＵＥ・ＧＲＥＥＮ・ＹＥＬＬＯＷ・ＯＲＡＮＧＥ・ＲＥＤ）の波長域（ｎｍ）を利用して、ＲＧＢ値や明度及び彩度を設定することにより、点灯色の変更を時間単位で制御する。
【０１０５】
また、上記実施の形態では、サーバー１００（１０１）は１会場単位を想定していたが、例えば、異なる２会場においてサーバー１０２により点灯制御を行うことも可能である。
【０１０６】
このような場合、例えば、図１２に示すように、サーバー１０２をインターネット等のネットワークＣに接続するとともに、各会場単位で異なるネットワークＮＴ１，ＮＴ２を構築し、ネットワークＮＴ１，ＮＴ２の各端末３０をネットワークＣを介してサーバー１０２と接続する。
【０１０７】
また、各会場のネットワークＮＴ１，ＮＴ２は、端末３０にペアリングコントローラ２１とバーコードリーダ２２とを有する読取装置２０を複数台接続する。
【０１０８】
各バーコードリーダ２２で読み取った棒状ライト２００とチケットＴの各バーコードをペアリングコントローラ２１でペアリングすることができる。ペアリングしたバーコード情報は、読取装置２０から端末３０に送信され、ネットワークＮＴ１，ＮＴ２ごと（会場ごと）に大グループ化した状態でサーバー１０２に送信される。この際、例えば、端末３０に接続した発信器から各チケットＴの位置情報に応じたグループ情報、例えば、フォーメーション１ではグループＡに属し、フォーメーション２ではグループＤに属するなどのグルーピングのフォーメーション情報を棒状ライト２００に対して発信し、その後、各曲中の点灯順序等をグループ単位（フォーメーション単位）で遠隔操作してもよい。
【０１０９】
これにより、サーバー１０２は、例えば、図１２に示すように、異なる２つの会場（Ｎホール・Ｆ会場）でありながら、各会場に設けた一つ以上の発信器（図示せず）を介して点灯順序等に関する制御信号を棒状ライト２００に発信することにより、あたかも１つの会場での点灯制御を実現することができる。
【符号の説明】
【０１１０】
５ａ    記憶情報
５ｂ    グルーピング情報
５ｃ    発光制御情報
５ｄ    サーバーの指示情報
１１    記憶部（記憶手段）
１２    グルーピング部（グルーピング手段）
１３    送信部（送信手段）
１４    受信部（受信手段）
１５    発光部（発光手段）
１６    発光位置特定部（発光位置特定手段）
１７    ユーザ位置特定部（ユーザ位置特定手段）
１００  サーバー
２００  棒状ライト
３００  発光制御システム
【図１】
2020155414.tif 000003
【図２】
2020155414.tif 000004
【図３】
2020155414.tif 000005
【図４】
2020155414.tif 000006
【図５】
2020155414.tif 000007
【図６】
2020155414.tif 000008
【図７】
2020155414.tif 000009
【図８】
2020155414.tif 000010
【図９】
2020155414.tif 000011
【図１０】
2020155414.tif 000012
【図１１】
2020155414.tif 000013
【図１２】
2020155414.tif 000014
【図１３】
2020155414.tif 000015
【手続補正書】
【提出日】令和2年7月22日(2020.7.22)
【手続補正１】
【補正対象書類名】特許請求の範囲
【補正対象項目名】全文
【補正方法】変更
【補正の内容】
【特許請求の範囲】
【請求項１】
複数の場所の複数のライトと、サーバーとを、ネットワークを介して接続してなる発光制御システムであって、
前記サーバーは、
前記ライトのそれぞれを識別する識別情報と、位置情報とを関連付けて記憶部に記憶する記憶手段と、当該記憶手段によって記憶された記憶情報に基づいて発光制御情報を電波により送信する送信手段とを備え、
且つ、
前記ライトのそれぞれは、
前記サーバーの送信手段から送信された発光制御情報を受信する受信手段と、当該受信手段によって受信した発光制御情報に基づき、前記サーバーの指示情報に応じて発光する発光手段とを備えることを特徴とする発光制御システム。
【請求項２】
前記発光制御システムは、さらに、
前記ライトのそれぞれを識別する識別情報と、位置情報を、それぞれ読取装置によって読み取る読取手段を備え、当該読取手段によって読み取られた、ライトのそれぞれを識別する識別情報と、位置情報とを関連付けて記憶部に記憶することを特徴とする請求項１に記載の発光制御システム。
【請求項３】
前記ライトのそれぞれを識別する識別情報と、位置情報とが、それぞれバーコード情報化されてなることを特徴とする請求項１または２に記載の発光制御システム。
【請求項４】
前記サーバーは、さらに、
前記ライトのそれぞれを識別する識別情報と、位置情報とを関連付けて記憶部に記憶させた記憶情報に基づき、特定の色に関する情報および／または特定の形状に関する情報を、前記位置情報に対応付けて所定のグループ単位に統合するグルーピング手段とを備え、当該グルーピング手段によって統合したグループ単位に応じて、前記送信手段によって発光制御情報を送信することを特徴とする請求項１から３のいずれか一項に記載の発光制御システム。
【請求項５】
前記位置情報が、チケットに付加された座席情報であることを特徴とする請求項１から４のいずれか一項に記載の発光制御システム。
【請求項６】
複数の場所の複数のライトと、サーバーとを、ネットワークを介して接続してなる発光制御方法であって、
前記サーバーは、
前記ライトのそれぞれを識別する識別情報と、位置情報とを関連付けて記憶部に記憶する記憶ステップと、当該記憶ステップによって記憶された記憶情報に基づいて発光制御情報が電波により送信される送信ステップとを備え、
且つ、
前記ライトのそれぞれは、
前記サーバーの送信手段から送信された発光制御情報を受信する受信ステップと、当該受信ステップによって受信した発光制御情報に基づき、前記サーバーの指示情報に応じて発光する発光ステップとを含む、発光制御システムが実行する発光制御方法。
【請求項７】
前記グルーピング手段は、
前記識別情報と前記位置情報に対応付けて所定のグループ単位に統合したグループを、異なるグループ単位で統合する、ことを特徴とする請求項４に記載の発光制御システム。